【手続補正書】
【提出日】平成18年11月1日(2006.11.1)
【手続補正１】
【補正対象書類名】明細書
【補正対象項目名】全文
【補正方法】変更
【補正の内容】
【書類名】明細書【発明の名称】スラブ用埋込材【特許請求の範囲】【請求項１】  コンクリート（２）を打設してスラブ（３）を構築する際に、そのスラブ（３）を型取る下枠（４）に立設された固定用支軸（５）により下枠（４）から浮かした状態に固定されて前記コンクリート（２）に埋め込まれるスラブ用埋込材であって、  底面（１Ｌ）側へ打設したコンクリート（２）を上面（１Ｕ）側に導く案内孔（６）が上下に貫通して形成されると共に、長手方向の前後両端に、他の埋込材と相欠き継ぎされて連結される合じゃくり部（７Ｆ、７Ｒ）が形成され、当該合じゃくり部（７Ｆ、７Ｒ）に、前記固定用支軸（５）を挿通する取付孔（８…）が他の埋込材を相欠き継ぎした状態で上下に貫通するように穿設されたことを特徴とするスラブ用埋込材。【請求項２】  前記底面（１Ｌ）は、幅方向に沿って下に膨らんだ円弧面（１ｒ）で形成された請求項１記載のスラブ用埋込材。【請求項３】  前記案内孔（６）が、円形、長円形、楕円形又は四隅をアール仕上げした四辺形に開口形成された請求項１又は２記載のスラブ用埋込材。【請求項４】  前記案内孔（６）が底面（１Ｌ）に向かって広角的に開口形成された請求項１乃至３のいずれか記載のスラブ用埋込材。【発明の詳細な説明】【０００１】【発明の属する技術分野】  本発明は、コンクリートを打設してスラブを構築する際に、その下枠から浮かした状態に固定されてコンクリートに埋め込まれるスラブ用埋込材に関する。【０００２】【従来の技術】  鉄筋コンクリート造の集合住宅などの天井面は厚さ150ｍｍ程度のスラブで形成され、当該スラブの下方に突出形成した小梁を介して大梁に荷重を伝えるようにしているのが一般的である。【０００３】  しかし最近では、集合住宅の間取りが広くなって、スパンの大きいスラブを構築する要望が高い。この場合に、スラブを補強する必要があるが、小梁などを大きくして補強しようとしても室内空間が狭くなってしまうことから、その大きさに限度がある。このため、コンクリート内にボイド（空隙）となる中空パイプや発泡樹脂材を埋め込んでスラブを形成したボイドスラブが注目を集めている。【０００４】  このボイドスラブは、スラブ厚を 270〜300 ｍｍと従来のスラブよりも厚くすると共に、スラブ断面中央部を中空にしたり、発泡樹脂などの軽量な非コンクリート材料を埋め込んだりすることによって、スラブを軽量強化し、長スパンのフラットスラブの構築を可能とするものである。【０００５】  その工法として、コンクリ−トを打設してスラブの下ば部分を形成した後、その上に発泡樹脂製の埋込材を接着して配列させて、さらにその上にコンクリートを打設する二回打設工法や、下ば筋の鉄筋にボイドとなる中空のワインディングパイプをベルトで緩く縛り付けてコンクリートを打設し、その浮力によりベルトの余裕分だけパイプを浮かせてボイドスラブを構築するワインディングパイプ工法が知られている。【０００６】【発明が解決しようとする課題】  しかしながら、二回打設工法は工程数が多いため、工期も長くかかって工費が嵩み、また、一回目と二回目に打設したコンクリートの境界が接着力の弱い打継ぎ面となるので、その部分が剥がれやすくなって構造上の欠陥を生ずる原因となる。【０００７】  また、ワインディングパイプ工法はコンクリートを一回打設すれば足りるので、二回打設工法のような問題は生じないが、パイプを浮力で浮かせる関係上、ベルトを緩く縛らなければならず、コンクリートを打設したときにパイプが踊ったり波打ったりしてしまい、スラブのコンクリート厚さが不均一になって、強度が低下した部分に応力集中を起こすという構造欠陥の原因となる。【０００８】  このため本発明者は、ボイドとなる発泡樹脂製の埋込材を下枠から浮かせた状態に固定した後にコンクリートを打設してスラブを構築する工法及びそれに使用する埋込材を提案した（特願平１１−１７７４６１号）。【０００９】  図８はその埋込材３１を示すもので、例えば幅７００ｍｍ×長さ１２００ｍｍ×厚さ１００ｍｍ程度の厚肉板状の発泡樹脂材で形成され、その底面３２は、固定用支軸４０を装着する取付孔３３が形成される平坦部３４を除き、幅方向に沿って下に突出した円弧面３５で形成されると共に、その長手方向に延びる中心線上に、底面３２側へ打設したコンクリートを上面側に導く幅１００ｍｍ×長さ２００ｍｍ程度の案内孔３６が上下に貫通して形成されている。【００１０】  そして、図９に示すように、スラブ４１の下枠となる天井材４２に立設させた固定用支軸４０を埋込材３１の取付孔３３に挿通させて、当該埋込材３１を固定用支軸４０に設けられたスペーサフランジ４３に載せる。次いで、固定用支軸４０の上端に埋込材３１の上面を押さえ付けるビンディングフランジ４４を装着すれば、埋込材３１はその上下両面を固定用支軸４０の各ランジ４３、４４に挟まれて、天井材４２から浮いた状態に固定される。【００１１】  そして、埋込材３１を長手方向に連結して配列した後、コンクリートを打設すれば、埋込材３１が踊ったり波打ったりすることもなく、１回の打設で均質なボイドスラブを構築することができる。【００１２】  しかし、１個の埋込材３１を固定するのに少なくともその四隅を支持しなければならないので、４本の固定用支軸４０が必要となる。このため、中規模の集合住宅を建築する場合であっても非常に多くの固定用支軸４０を用意しなければならず、その設備費及びこれらを装着するための人件費が嵩むという問題を生じた。【００１３】  そこで本発明は、固定用支軸の数を減らして埋込材の四隅をしっかりと固定することができると同時に、設備費、人件費を軽減し、ひいては建築コストをさらに低減させることを技術的課題としている。【００１４】【課題を解決するための手段】  この課題を解決するために、本発明は、コンクリートを打設してスラブを構築する際に、そのスラブを型取る下枠に立設された固定用支軸により下枠から浮かした状態に固定されて前記コンクリートに埋め込まれるスラブ用埋込材であって、底面側へ打設したコンクリートを上面側に導く案内孔が上下に貫通して形成されると共に、長手方向の前後両端に、他の埋込材と相欠き継ぎされて連結される合じゃくり部が形成され、当該合じゃくり部に、前記固定用支軸を挿通する取付孔が他の埋込材を相欠き継ぎした状態で上下に貫通するように穿設されたことを特徴としている。【００１５】  本発明によれば、長手方向に連結される各埋込材の両端に、相欠き継ぎされて連結される合じゃくり部が形成されると共に、その合じゃくり部には、前記下枠に立設された固定用支軸を挿通する取付孔が他の埋込材を相欠き継ぎした状態で上下に貫通されて穿設されているので、１本の固定用支軸を上下に重なっている２個の埋込材の合いじゃくり部に挿通することができる。【００１６】  すなわち、各合いじゃくり部の左右両側に固定用支軸の取付孔を形成すると、一つの埋込材の前後両端が各２本ずつ合計４本の固定用支軸で固定されることになるが、これらの固定用支軸は、二つの埋込材の片端同士を互いに連結した状態に固定しているので、平均すると埋込材１個あたり約２本の固定用支軸で固定することができる。したがって、各埋込材ごとにその四隅を支持固定する場合に比して約１／２で足りるので、固定用支軸の使用本数を減らすことができる。【００１７】  さらに、埋込材の底面側へ打設したコンクリートを上面側に導く案内孔の開口断面を、円形、長円形、楕円形又は四隅をアール仕上げした四辺形に形成しておけば、応力集中を起こす角部分がないので、案内孔部分を引き裂くように外力が作用しても亀裂が入りにくい。【００１８】  さらにまた、前記案内孔を底面に向かって広角的に開口形成すれば、底面側に打設されたコンクリートがその案内孔内に流入しやすくなるので、埋込材の底面側でコンクリートの流れが滞ることもなく巣が形成されにくくなる。【００１９】【発明の実施の形態】  以下、本発明を図面に基づいて具体的に説明する。図１は本発明に係るスラブ用埋込材を斜め下方から見た斜視図、図２はそれを斜め上方から見た斜視図、図３は使用状態を示す側面図、図４は使用状態を示す正面図、図５は使用状態を示す斜視図、図６は他の実施形態の要部を示す説明図、図７はさらに他の実施形態を示す説明図である。【００２０】  本例のスラブ用埋込材１は、例えば幅７００ｍｍ×長さ１２００ｍｍ×厚さ１００ｍｍ程度の厚肉板状の発泡樹脂材で形成され、コンクリ−ト２を打設してスラブ３を構築する際に、そのスラブ３を型取る下枠となる天井材４に立設された固定用支軸５により天井材４から浮かした状態に固定されて、前記コンクリ−ト２に埋め込まれて使用されるものである。【００２１】  埋込材１の長手方向に延びる中心線上には、底面１Ｌ側へ打設したコンクリ−ト２を上面１Ｕ側に導く幅１００ｍｍ×長さ２００ｍｍ程度の案内孔６が上下に貫通して形成され、底面１Ｌ側へのコンクリートの回り込みを上面１Ｕ側から確認できるようになされている。この案内孔６は、四隅をアール仕上げした四辺形の開口断面に形成され、埋込材１に外力が作用したときでも応力集中を起こしにくい構造になっている。また、案内孔６は、底面１Ｌに向かって広角的に開口形成され、底面１Ｌ側へ回り込んだコンクリ−ト２が流れ込みやすくなっている。【００２２】  そして、埋込材１の長手方向の前後両端に、他の埋込材と相欠き継ぎされて連結される合じゃくり部７Ｆ、７Ｒが形成され、当該各合じゃくり部７Ｆ、７Ｒには、固定用支軸５を挿通する左右一対の取付孔８…が二つの埋込材１、１を相欠き継ぎした状態で上下に貫通するように穿設されている。【００２３】  また、取付孔８…に挿通される固定用支軸５…で支持される埋込��１の前後両端の中間部分には、その長さを略３等分する位置の左右両側には、下向き荷重を支持する発泡樹脂製の脚体９…が、底面１Ｌから天井材４に達するように埋込材１と一的に形成されている。この脚体９…は、スラブ３の強度に影響を与えない程度の大きさ及び形状に形成され、本例では直径５０〜７０ｍｍの略円柱形に形成されている。【００２４】  埋込材１の底面１Ｌは、全体的に幅方向に沿って下に膨らんだ円弧面１ｒで形成されると共に、前端側の合じゃくり部７Ｆ及び脚体９…を形成する部分のみが、前記円弧面１ｒから突出して幅方向に延びる平坦な突条１ｐに形成されている。【００２５】  なお、固定用支軸５には、埋込材１を所定の高さに浮かせるスペーサフランジ１０が形成され、その上端には埋込材１の上面１Ｕを押さえるビンディングフランジ１１が係合するように形成されている。【００２６】  以上が本発明の構成例であって、次に、その作用を説明する。まず、スラブ３の下ば筋となる鉄筋１２を配筋すると共に、埋込材１の配列位置に対応するように天井材４に固定用支軸５を立てる。次いで、固定用支軸５を埋込材１の取付孔８…に挿通しながら、連結する二つの埋込材１、１の合じゃくり部７Ｆ、７Ｒ同士を互いに重ねて、各埋込材１、１が相欠き継ぎされるように端から順に並べ、各固定用支軸５の上端にビンディングフランジ１１を装着する。【００２７】  このとき、固定用支軸５は、隣接する埋込材１、１の合じゃくり部７Ｆ、７Ｒを貫通する取付孔８…に挿通されるので、各埋込材１の四隅を天井材４に対して固定すると同時に、隣接する埋込材１、１同士を互いに連結した状態に固定する。すなわち、２本の固定用支軸５、５で、前後に連結される埋込材１、１の片端同士を同時に固定することができるので、固定用支軸５の使用本数は埋込材１個当たり約２本で足り、各埋込材ごとに四隅を４本の固定用支軸で支持固定する場合に比してその使用本数を約１／２に減らすことができる。【００２８】  また、埋込材１は、その四隅が固定用支軸５で支持され、中間部分に作用する下向き荷重が脚体９…で支持される。したがって、埋込材１の中央部分に作業者が乗っても、その体重が脚体９…で支えられるので、埋込材１が折れ難くなる。なお、埋込材１の中心線に沿って形成された案内孔６は、その開口断面が、四隅をアール仕上げした四辺形に形成されているので、応力集中を起こす角部分がなく、案内孔６を引き裂くように外力が作用しても亀裂が入りにくい。【００２９】  そして、埋込材１の配列が終了した後、スラブ３の上ば筋となる鉄筋１３と、あばら筋となる鉄筋１４を配筋して、コンクリ−ト２を埋込材１と下枠５の間に流し込むように打設する。【００３０】  埋込材１の底面１Ｌ側へ打設されたコンクリ−ト２は、幅方向に延びる突条１ｐに案内され、案内孔６に向かって流れる。このとき、案内孔６は、円弧面１ｒで形成された底面１Ｌと天井材４の隙間が最も狭くなった部分、すなわち、底面１Ｌ側に流入したコンクリ−ト２の流入圧が高くなる部分に開口されており、しかも、底面１Ｌに向かって広角的に開口形成されているので、コンクリ−ト２は埋込材１の底面１Ｌ側で滞ることなく、案内孔６内に勢い良く流入することとなり、巣が形成されることもない。【００３１】  そして、埋込材１の上面１Ｕが完全に覆われるまでコンクリ−ト２を打設し、これを養生させればスラブ３が構築される。【００３２】  なお、埋込材１の案内孔６の開口断面は、四隅をアール仕上げした四辺形に限らず、円形、長円形又は楕円形又は形成する場合であっても良い。【００３３】  また、脚体９をスラブ用埋込材１と同じ材料で一体成形した場合について説明したが、図６に示すような金属製の脚体２０を埋込材１の底面１Ｌに刺して形成する場合であってもよい。この脚体２０は、埋込材１の底面１Ｌに刺し込むフック２１…が形成された天板部２２と、当該天板部２２を天井材４に載せる脚板２３から所定高さに支持する脚２４からなる。【００３４】  さらに、スラブ用埋込材１の形状は、厚肉板状に形成する場合に限らず任意である。例えば、埋込材１を、図７に示すように横幅が狭い楕円形断面に形成し、前後両端に形成された合じゃくり部７Ｆ、７Ｒに固定用支軸５の取付孔８を形成すると共に、底面１Ｌに脚体２０を設けてもよい。このタイプの埋込材１は、スパンの長いスラブ（７ｍ以上）や、高層階（５〜７階以上）のスラブのように、埋込材１を小ピッチで配列するスラブを形成する場合に用いて好適なものである。【００３５】【発明の効果】  以上述べたように、本発明によれば、前後に連結される埋込材の片端同士を同時に固定することができるので、埋込材の前後４ヵ所を支持固定する場合でも、固定用支軸の使用本数を減らすことができ、ひいては、設備費及びこれらを装着するための人件費を軽減することにより建築コストをさらに低減させることができるというと大変優れた効果を有する。【００３６】  また、固定用支軸で支持される前後両端の中間部分に脚体を形成すれば、その上に乗って作業しても脚体が体重を支持するので、多数の固定用支軸を使用したり、支持用の鉄筋を設けたりする必要がなくなり、その分、設備費、人件費が軽減されると共に、工程数が減らされて工期が短縮され、建築コストが軽減されるという効果もある。【００３７】  さらに、埋込材の底面側へ回り込んだコンクリートを上面側に導く案内孔の開口断面を、円形、長円形、楕円形又は四隅をアール仕上げした四辺形に形成しておけば、応力集中を起こす角部分がないので、案内孔部分を引き裂くように外力が作用しても亀裂が入り難いという効果もある。【００３８】  さらにまた、前記案内孔を底面に向かって広角的に開口形成しておけば、打設したコンクリートがその案内孔内に流入し易くなって、埋込材の底面側で滞らないので、スラブ構築の際に巣が形成され難くなるという効果もある。【図面の簡単な説明】【図１】本発明に係るスラブ用埋込材を斜め下方から見た斜視図。【図２】それを斜め上方から見た斜視図。【図３】使用状態を示す側面図。【図４】使用状態を示す正面図。【図５】使用状態を示す斜視図。【図６】他の実施形態の要部を示す説明図。【図７】他の実施形態を示す説明図。【図８】従来のスラブ用埋込材を斜め下方から見た斜視図。【図９】従来のスラブ用埋込材の使用状態を示す側面図。【符号の説明】１………スラブ用埋込材１Ｌ……底面１Ｕ……上面２………コンクリート３………スラブ４………天井材（下枠��５………固定用支軸６………案内孔７Ｆ、７Ｒ………合じゃくり部８………取付孔９………脚体